(57)【要約】【課題】  コスト上昇を抑制しつつ、開封後において残された内容物を保持することが可能なパウチ容器用包材およびパウチ容器を提供すること。【解決手段】  パウチ容器用包材Ａ１は、底辺１１および天辺１２と第１側辺１３および第２側辺１４とを各々が有する一対の外装フィルム１を備え、第一側方シール部１３１と、第２側方シール部１４１と、第１側方シール部１３１および天辺１２の間に位置し、且つ一対の外装フィルム１の厚さ方向視において外方に湾曲した湾曲シール部１５１を含む注出口予定部１５と、第１側方シール部１３１を貫通する第１係止貫通部１７１と、を備えており、注出口予定部１５を横断するように一対の外装フィルム１を切断することにより形成される注出口１５Ａの、第１側方シール部１３１側の隅部によって構成される第１係止片１６１が、第１係止貫通部１７１に係止可能である。【選択図】  図１
2016141452.tif 000002
【特許請求の範囲】
【請求項１】
互いに反対側に位置する底辺および天辺と該底辺および該天辺の間に位置する第１側辺および第２側辺とを各々が有する一対の外装フィルムを備え、
前記第１側辺に沿って前記一対の外装フィルムが互いに接合された第１側方シール部と、
前記第２側辺に沿って前記一対の外装フィルムが互いに接合された第２側方シール部と、
前記第１側方シール部および前記天辺の間に位置し、且つ前記一対の外装フィルムの厚さ方向視において外方に湾曲した湾曲シール部を含む注出口予定部と、
前記第１側方シール部を貫通する第１係止貫通部と、を備えており、
前記注出口予定部を横断するように前記一対の外装フィルムを切断することにより形成される注出口の、前記第１側方シール部側の隅部によって構成される第１係止片が、前記第１係止貫通部に係止可能であることを特徴とする、パウチ容器用包材。
【請求項２】
前記第１係止貫通部は、両端が前記第１側方シール部内に位置する切断線によって構成されている、請求項１に記載のパウチ容器用包材。
【請求項３】
前記第１係止貫通部の両端は、前記第１側辺に向かっている、請求項２に記載のパウチ容器用包材。
【請求項４】
前記第２側方シール部を貫通する第２係止貫通部と、
前記第２側方シール部に形成され、且つ前記第２係止貫通部に係止可能である第２係止片と、を備える、請求項１ないし３のいずれかに記載のパウチ容器用包材。
【請求項５】
前記第２係止貫通部は、両端が前記第２側方シール部内に位置する切断線によって構成されている、請求項４に記載のパウチ容器用包材。
【請求項６】
前記第２係止貫通部の両端は、前記第２側辺に向かっている、請求項５に記載のパウチ容器用包材。
【請求項７】
前記第１側辺および前記第２側辺が離間する方向である幅方向において、前記第１係止片の根元端と前記第２係止片の根元端との距離は、前記第１係止貫通部の両端を結ぶ線分と前記第２係止貫通部の両端を結ぶ線分との距離よりも大である、請求項４ないし６のいずれかに記載のパウチ容器用包材。
【請求項８】
第２係止片と前記第２係止貫通部との間に位置し、且つ前記厚さ方向視において内方に凹む第２側方凹部を有する、請求項４ないし７のいずれかに記載のパウチ容器用包材。
【請求項９】
前記第１側方シール部と前記湾曲シール部との間に位置し、且つ前記厚さ方向視において内方に凹む第１側方凹部を有する、請求項１ないし８のいずれかに記載のパウチ容器用包材。
【請求項１０】
前記天辺と前記湾曲シール部との間に位置し、且つ前記厚さ方向視において内方に凹む天側凹部を有する、請求項１ないし９のいずれかに記載のパウチ容器用包材。
【請求項１１】
前記底辺に平行に折り畳まれた状態で前記一対の外装フィルムの間に位置し、前記一対の外装フィルムの前記底辺に沿う一対の底辺を有する底側フィルムをさらに備え、
前記一対の外装フィルムと前記底側フィルムとが各々の前記底辺に沿って接合された一対の底側シール部を具備する、請求項１ないし１０のいずれかに記載のパウチ容器用包材。
【請求項１２】
請求項１ないし１１のいずれかに記載のパウチ容器用包材と、
前記一対の外装フィルムの間に設けられた収容空間に密閉状態で収容された内容物と、
を備えることを特徴とする、パウチ容器。
【発明の詳細な説明】
【技術分野】
【０００１】
本発明は、パウチ容器用包材およびパウチ容器に関する。
【背景技術】
【０００２】
パウチ容器は、たとえばスポーツドリンク等の飲料、アイスクリームやゼリー等の食品等の容器、あるいはシャンプーやリンス等の日用品等の容器として広く使用されている。図１１は、従来のパウチ容器用包材の一例を用いて製造されたパウチ容器を示している（特許文献１参照）。同図に示されたパウチ容器Ｘは、一対の外装フィルム９１、底側フィルム９２およびスパウト９３を備えており、飲料などの内容物（図示略）が収容されている。
【０００３】
外装フィルム９１は、底辺９４、第１側辺９５、第２側辺９６、天辺９７および斜辺９８を有している。底辺９４は、パウチ容器Ｘが店頭等において陳列される際に、鉛直方向下方に位置して陳列棚などに接することが意図された辺である。天辺９７は、底辺９４とは反対側に位置する辺である。第１側辺９５および第２側辺９６は、底辺９４および天辺９７の間に位置している。斜辺９８は、第１側辺９５と天辺９７とを繋いでおり、第１側辺９５および天辺９７の何れに対しても傾斜している。底側フィルム９２は、底辺９４に平行に折り畳まれた状態で、一対の外装フィルム９１に挟まれている。底側フィルム９２は、底辺９４と一致する一対の底辺を有している。
【０００４】
底側シール部９４ａは、外装フィルム９１と底側フィルム９２とが、底辺９４に沿って接合された部分である。第１側方シール部９５ａは、一対の外装フィルム９１同士が、第１側辺９５に沿って接合された部分である。第２側方シール部９６ａは、一対の外装フィルム９１同士が、第２側辺９６に沿って接合された部分である。一対の外装フィルム９１の斜辺９８同士の間にはスパウト９３の挿入部９３ａが挿入されている。スパウトシール部９８ａは、一対の外装フィルム９１同士が挿入部９３ａを挟んだ状態で、斜辺９８に沿って接合された部分である。天側シール部９７ａは、一対の外装フィルム９１同士が天辺９７に沿って接合された部分である。パウチ容器Ｘの製造工程においては、たとえば天側シール部９７ａ以外の前記シール部を形成した後に、内容物を充填し、その後に天側シール部９７ａが形成される。また、スパウト９３の蓋を取り外すことによって、パウチ容器Ｘから内容物の一部を注ぎ出した後に、スパウト９３に蓋を取り付けることにより、残りの内容物をＸによって保管することができる。
【０００５】
しかしながら、スパウト９３は、開閉可能な構造を有し、かつスパウトシール部９８ａにおいて一対の外装フィルム９１と密閉状態で接合可能なものが必要とされる。スパウト９３の形状および材質は、これらの要請を満たすものが採用される。このようなスパウト９３は、パウチ容器Ｘのコストを上昇させ、また製造工程を複雑化および難化させるという懸念点がある。
【先行技術文献】
【特許文献】
【０００６】
【特許文献１】実用新案登録第３０９３０５１号公報
【発明の概要】
【発明が解決しようとする課題】
【０００７】
本発明は、上記した事情のもとで考え出されたものであって、コスト上昇を抑制しつつ、開封後において残された内容物を保持することが可能なパウチ容器用包材およびパウチ容器を提供することをその課題とする。
【課題を解決するための手段】
【０００８】
本発明の第１の側面によって提供されるパウチ容器用包材は、互いに反対側に位置する底辺および天辺と該底辺および該天辺の間に位置する第１側辺および第２側辺とを各々が有する一対の外装フィルムを備え、前記第１側辺に沿って前記一対の外装フィルムが互いに接合された第１側方シール部と、前記第２側辺に沿って前記一対の外装フィルムが互いに接合された第２側方シール部と、前記第１側方シール部および前記天辺の間に位置し、且つ前記一対の外装フィルムの厚さ方向視において外方に湾曲した湾曲シール部を含む注出口予定部と、前記第１側方シール部を貫通する第１係止貫通部と、を備えており、前記注出口予定部を横断するように前記一対の外装フィルムを切断することにより形成される注出口の、前記第１側方シール部側の隅部によって構成される第１係止片が、前記第１係止貫通部に係止可能であることを特徴としている。
【０００９】
本発明の好ましい実施の形態においては、前記第１係止貫通部は、両端が前記第１側方シール部内に位置する切断線によって構成されている。
【００１０】
本発明の好ましい実施の形態においては、前記第１係止貫通部の両端は、前記第１側辺に向かっている。
【００１１】
本発明の好ましい実施の形態においては、前記第２側方シール部を貫通する第２係止貫通部と、前記第２側方シール部に形成され、且つ前記第２係止貫通部に係止可能である第２係止片と、を備える。
【００１２】
本発明の好ましい実施の形態においては、前記第２係止貫通部は、両端が前記第２側方シール部内に位置する切断線によって構成されている。
【００１３】
本発明の好ましい実施の形態においては、前記第２係止貫通部の両端は、前記第２側辺に向かっている。
【００１４】
本発明の好ましい実施の形態においては、前記第１側辺および前記第２側辺が離間する方向である幅方向において、前記第１係止片の根元端と前記第２係止片の根元端との距離は、前記第１係止貫通部の両端を結ぶ線分と前記第２係止貫通部の両端を結ぶ線分との距離よりも大である。
【００１５】
本発明の好ましい実施の形態においては、前記第１側方シール部と前記湾曲シール部との間に位置し、且つ前記厚さ方向視において内方に凹む第１側方凹部を有する。
【００１６】
本発明の好ましい実施の形態においては、前記天辺と前記湾曲シール部との間に位置し、且つ前記厚さ方向視において内方に凹む天側凹部を有する。
【００１７】
本発明の好ましい実施の形態においては、第２係止片と前記第２係止貫通部との間に位置し、且つ前記厚さ方向視において内方に凹む第２側方凹部を有する。
【００１８】
本発明の好ましい実施の形態においては、前記底辺に平行に折り畳まれた状態で前記一対の外装フィルムの間に位置し、前記一対の外装フィルムの前記底辺に沿う一対の底辺を有する底側フィルムをさらに備え、前記一対の外装フィルムと前記底側フィルムとが各々の前記底辺に沿って接合された一対の底側シール部を具備する。
【００１９】
本発明の第１の側面によって提供されるパウチ容器は、本発明の第１の側面によって提供されるパウチ容器用包材と、前記一対の外装フィルムの間に設けられた収容空間に密閉状態で収容された内容物と、を備えることを特徴としている。
【発明の効果】
【００２０】
本発明によれば、前記パウチ容器の開封において前記切断予定線に沿って前記注出口予定部を切断すると、前記注出口が現出し、前記第１係止片が形成される。この第１係止片を前記第１係止貫通部に係止させることにより、前記一対の外装フィルムが折り曲げられた態様となる。この態様においては、前記収容空間内に残った前記内容物と前記注出口とを、前記一対の外装フィルムの折り曲げ部分によって互いに区画することが可能である。これにより、前記内容物が前記注出口から誤って漏れ出てしまうことを抑制することができる。また、前記パウチ容器用包材および前記パウチ容器は、スパウトなどの開閉状態を実現するための部品を設ける必要がない。したがって、コスト上昇を抑制しつつ、開封後において残された前記内容物を保持することができる。
【００２１】
本発明のその他の特徴および利点は、添付図面を参照して以下に行う詳細な説明によって、より明らかとなろう。
【図面の簡単な説明】
【００２２】
【図１】本発明の第１実施形態に基づくパウチ容器用包材を示す正面図である。
【図２】図１のＩＩ−ＩＩ線に沿う断面図である。
【図３】本発明の第１実施形態に基づくパウチ容器を示す斜視図である。
【図４】図３のＩＶ−ＩＶ線に沿う断面図である。
【図５】図３のパウチ容器の注出口予定部を切断した状態を示す正面図である。
【図６】図３のパウチ容器の係止状態を示す正面図である。
【図７】図３のパウチ容器の係止状態を示す斜視である。
【図８】（ａ）〜（ｄ）は、図１のパウチ容器用包材および図３のパウチ容器の第１係止貫通部の変形例を示す要部拡大正面図である。
【図９】本発明の第２実施形態に基づくパウチ容器を示す要部正面図である。
【図１０】本発明の第３実施形態に基づくパウチ容器を示す要部正面図である。
【図１１】従来のパウチ容器の一例を示す正面図である。
【発明を実施するための形態】
【００２３】
以下、本発明の好ましい実施の形態につき、図面を参照して具体的に説明する。
【００２４】
図１および図２は、本発明の第１実施形態に基づくパウチ容器包材を示している。本実施形態のパウチ容器用包材Ａ１は、一対の外装フィルム１および底側フィルム２を備えている、いわゆるスタンディングパウチと称されるものである。なお、本発明のパウチ容器用包材およびパウチ容器は、この形態に限定されず、底側フィルム２のない、いわゆる平パウチ（四方シールパウチや三方シールパウチ）であってもよい。図１は、パウチ容器用包材Ａ１を示す正面図である。図２は、図１のＩＩ−ＩＩ線に沿う断面図である。
【００２５】
外装フィルム１は、底辺１１、天辺１２、第１側辺１３、第２側辺１４を有している。底辺１１は、図中水平方向に直線状に延びており、パウチ容器用包材Ａ１を用いて製造されたパウチ容器が店頭等において陳列される際に陳列棚等に接することが意図された辺である。天辺１２は、図中上下方向において底辺１１とは反対側に位置している。第１側辺１３および第２側辺１４は、図中上下方向において底辺１１および天辺１２の間に位置している。第１側辺１３は、底辺１１の図中左端に繋がっている。第２側辺１４は、底辺１１の図中右端に繋がっている。
【００２６】
底側フィルム２は、折り返し部２２において底辺１１と平行に折り畳まれた状態で一対の外装フィルム１の間に位置している。底側フィルム２は、図中上下方向において折り返し部２２とは反対側に位置する一対の底辺２１を有している。底側フィルム２の各底辺２１は、本実施形態においては、外装フィルム１の底辺１１と各々が一致している。また、底側フィルム２には、切り欠き部２５が形成されている。切り欠き部２５は、底側フィルム２の一部が切り欠かれた部位であり、厚さ方向に貫通している。
【００２７】
一対の外装フィルム１および底側フィルム２は、通常、樹脂フィルムから構成される。該樹脂フィルムには、耐衝撃性、耐磨耗性、及び耐熱性等、包装体としての基本的な性能を備えることが要求される。また、上記各シール部は、通常、ヒートシールにより形成されるので、シートにはヒートシール性も要求される。シートとしては、ベースフィルム層と、ヒートシール性を付与するシーラント層とを有する複層シートが好適であり、高いガスバリア性や遮光性が要求される場合には、ベースフィルム層とシーラント層との間にバリア層を設けることが好適である。なお、ベースフィルム層そのものにバリア性を付与してもよい。この場合は、バリア層をベースフィルム層として用い、バリア層とシーラント層とを有する複層シートとなる。
【００２８】
ここで、ベースフィルム層、シーラント層、及びガスバリア層の構成材料を例示する。なお、これら各層の積層は、慣用のラミネート法、例えば、共押出しラミネーション、接着剤によるドライラミネーション、熱接着性層を挟んで熱により接着させる熱ラミネーション等により行うことができる。
【００２９】
ベースフィルム層を構成するフィルムとしては、ポリエステル（ポリエチレンテレフタレート（ＰＥＴ）、ポリエチレンナフタレ−ト（ＰＥＮ）、ポリブチレンテレフタレート（ＰＢＴ）、ポリカーボネート（ＰＣ）等）、ポリオレフィン（ポリエチレン（ＰＥ）、ポリプロピレン（ＰＰ）等）、ポリアミド（ナイロン−６、ナイロン−６６等）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリメチルメタクリレート（ＰＭＭＡ）、ポリエーテルスルフォン（ＰＥＳ）等から構成される一層または二層以上の延伸または未延伸フィルムが例示できる。
【００３０】
シーラント層を構成するフィルムとしては、低密度ポリエチレン（ＬＤＰＥ）、直鎖状低密度ポリエチレン（ＬＬＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層または二層以上の延伸または未延伸フィルムが例示できる。
【００３１】
ガスバリア層としては、アルミニウム等の金属薄膜、又は塩化ビニリデン（ＰＶＤＣ）、エチレン−ビニルアルコール共重合体（ＥＶＯＨ）等の樹脂フィルム、或いは任意の合成樹脂フィルム（例えば、ベースフィルム層であってもよい）に、アルミニウム、酸化アルミニウムやシリカ等の無機酸化物等を蒸着（又はスパッタリング）したフィルムが例示できる。
【００３２】
外装フィルム１または底側フィルム２には、内容物の商品名や原材料・使用上の注意事項等の商品説明、その他各種デザイン等を表示するための印刷層（図示せず）を設けることができる。例えば、印刷層は、グラビア印刷等の公知の方法により、ベースフィルム層の内側の面に形成できる。
【００３３】
パウチ容器用包材Ａ１は、底側シール部１１１、天側開口部１２５、第１側方シール部１３１、第２側方シール部１４１および湾曲シール部１５１を有している。底側シール部１１１は、外装フィルム１と底側フィルム２とが底辺１１に沿ってヒートシールによって接合された部分である。本実施形態においては、底側シール部１１１は、底辺１１に沿う主要部分と、この主要部分の両端において第１側辺１３および第２側辺１４に沿うように上方へと延びる部分とを有している。底側フィルム２に切り欠き部２５が形成されていることにより、切り欠き部２５においては、一対の外装フィルム１同士が部分的に対面する。このため、底側シール部１１１を形成する際には、切り欠き部２５を通して一対の外装フィルム１同士が接合されることとなる。この部位は、内容物を充填した後などにおいて底側フィルム２の図中左右端が開いてしまうことを防止する機能を果たす。
【００３４】
第１側方シール部１３１は、一対の外装フィルム１同士が第１側辺１３に沿ってヒートシールによって接合された部分である。第２側方シール部１４１は、一対の外装フィルム１同士が第２側辺１４に沿ってヒートシールによって接合された部分である。天側開口部１２５は、一対の外装フィルム１の天辺１２同士によって形成されている。天側開口部１２５においては、シールが施されておらず、パウチ容器用包材Ａ１の内部空間と外部とが通じ合う。
【００３５】
また、パウチ容器用包材Ａ１は、注出口予定部１５および湾曲シール部１５１を有している。注出口予定部１５は、一対の外装フィルム１のうち第１側辺１３と天辺１２との間に位置した部分であって、外装フィルム１の厚さ方向視（図１における紙面奥行き方向視、図２における図中左右方向視）において外方に延出した部分同士によって構成されている。この外方に延出するとは、図１の図中左右方向において外装フィルム１の中央から遠ざかる側（図中左側あるいは図中左上側）に延びる部分である。湾曲シール部１５１は、一対の外装フィルム１のうち注出口予定部１５を構成する部分同士が、互いの端縁に沿ってヒートシールによって接合された部分である。このような湾曲シール部１５１は、外装フィルム１の厚さ方向視において外方に湾曲した形状となる。また、第１側方シール部１３１と湾曲シール部１５との境界には、屈曲部１５４が存在する。屈曲部１５４は、これを挟んで天側に位置する部分が、これを挟んで底側に位置する部分に対して外方に向かうように屈曲した部位である。注出口予定部１５は、外装フィルム１の厚さ方向視において外方に突出した形状とされており、湾曲シール部１５１と一対の外装フィルム１のうち湾曲シール部１５１を含む突出した部分とによって構成されている。
【００３６】
注出口予定部１５は、後述するパウチ容器Ｂ１が完成した後に、内容物を注ぎ出すための開封において、切断予定線１５３に沿って切断させることが予定された部位である。本実施形態においては、注出口予定部１５には、切り欠き部１５２が形成されている。切り欠き部１５２は、切断予定線１５３の端部となるべき部位である。注出口予定部１５を横断するように切断予定線１５３に沿って注出口予定部１５を切断すると、後述する注出口１５Ａが形成され、第１係止片１６１が現出する。第１係止片１６１は、後述する注出口１５Ａのうち第１側辺１３側の隅部によって構成される。
【００３７】
一対の底辺１１の間において底側シール部１１１、第１側方シール部１３１、第２側方シール部１４１および湾曲シール部１５１によって囲まれた空間は、収容空間１９とされている。収容空間１９は、内容物を収容するための空間である。
【００３８】
また、パウチ容器用包材Ａ１は、第２係止片１６２、第１係止貫通部１７１および第２係止貫通部１７２を有している。第２係止片１６２は、第２側方シール部１４１に形成されており、本実施形態においては、第２側方シール部１４１が部分的に図中右方に突出した部位からなる。第１係止貫通部１７１は、第１側方シール部１３１に形成されており、第１側方シール部１３１を貫通している。第１係止貫通部１７１は、パウチ容器Ｂ１を開封した後に、第１係止片１６１を係止可能である。第１係止貫通部１７１は、第１側方シール部１３１の厚さ方向に第１係止片１６１を貫通させることにより第１係止片１６１を係止可能な構成であれば特に限定されない。本実施形態においては、第１係止貫通部１７１は、切断線によって形成されている。また、第１係止貫通部１７１は、収容空間１９に向かって膨出した形状であり、両端が第１側辺１３に向かっている。第２係止貫通部１７２は、第２側方シール部１４１に形成されており、第２側方シール部１４１を貫通している。第２係止貫通部１７２は、パウチ容器Ｂ１を開封した後に、第２係止片１６２を係止可能である。第２係止貫通部１７２は、第２側方シール部１４１の厚さ方向に第２係止片１６２を貫通させることにより第２係止片１６２を係止可能な構成であれば特に限定されない。本実施形態においては、第２係止貫通部１７２は、切断線によって形成されている。また、第２係止貫通部１７２は、収容空間１９に向かって膨出した形状であり、両端が第２側辺１４に向かっている。
【００３９】
また、パウチ容器用包材Ａ１は、第１側方凹部１８１、第２側方凹部１８２および天側凹部１８３を有している。第１側方凹部１８１は、第１側方シール部１３１と湾曲シール部１５１との間に位置しており、外装フィルム１の厚さ方向視において収容空間１９に向かって凹んでいる。第２側方凹部１８２は、第２側方シール部１４１において第２係止片１６２と第２係止貫通部１７２との間に位置しており、外装フィルム１の厚さ方向視において収容空間１９に向かって凹んでいる。天側凹部１８３は、天辺１２と湾曲シール部１５１との間に位置しており、外装フィルム１の厚さ方向視において収容空間１９に向かって凹んでいる。これらの第１側方凹部１８１、第２側方凹部１８２および天側凹部１８３が形成されていることにより、注出口予定部１５、第１係止片１６１および第２係止片１６２が外方に突出する形状であるものの、これらが天辺１２、第１側辺１３および第２側辺１４から大きく外方にはみ出てしまうことを回避可能である。
【００４０】
図３および図４は、パウチ容器用包材Ａ１を用いて製造されたパウチ容器Ｂ１
を示している。パウチ容器Ｂ１は、パウチ容器用包材Ａ１の収容空間１９に内容物４を充填した後に、一対の外装フィルム１を天辺１２に沿ってヒートシールによって接合することによって製造されている。天側シール部１２１が形成されることにより収容空間１９は、天側シール部１２１、第１側方シール部１３１、第２側方シール部１４１および湾曲シール部１５１によって密閉されている。
【００４１】
内容物４は、液体、粉体、固体等である。液体の内容物４としては、たとえばスポーツドリンク等の飲料あるいはシャンプーやリンス等の日用品が挙げられる。粉体の内容物４としては、たとえば調味料等の食品や洗剤等の日用品が挙げられる。固体の内容物４としては、たとえばアイスクリームや菓子等の食品が挙げられる。以下においては、内容物４が液体である場合について説明する。
【００４２】
図４に示すように、収容空間１９に内容物４が充填されると、内容物４の自重によって底側フィルム２が下方に押し広げられ、一対の外装フィルム１の特に底辺１１の中央部同士が離間させられる。これにより、パウチ容器Ｂ１は、一対の外装フィルム１の底辺１１および底側フィルム２によっていわゆる自立が可能な態様となっている。
【００４３】
図５は、パウチ容器Ｂ１の開封を示している。同図に示すように、切断予定線１５３に沿って注出口予定部１５を切断する。これにより、注出口１５Ａが現出する。注出口１５Ａは、内容物４をパウチ容器Ｂ１から外部へと注ぎ出すためのものである。また、注出口１５Ａのうち第１側辺１３側に位置する隅部によって、第１係止片１６１が構成される。本実施形態においては、第１係止片１６１は、図中左方に突出する略三角形状とされているが、第１係止片１６１の形状は特に限定されず、第１係止貫通部１７１に係止可能な形状であればよい。
【００４４】
また、本実施形態では、第１側辺１３と第２側辺１４とが離間する方向である幅方向（図中左右方向）において、第１係止片１６１の根元端と第２係止片１６２の根元端との距離Ｄ１は、第１係止貫通部１７１の両端を結ぶ線分と第２係止貫通部１７２の両端を結ぶ線分との距離Ｄ２よりも大である。
【００４５】
図６および図７は、内容物４の一部をパウチ容器Ｂ１の注出口１５Ａから注ぎ出した後に、収容空間１９に残された内容物４を一時的に保管する状態を示している。この状態は、一対の外装フィルム１を、図中上下方向において第１係止片１６１および第２係止片１６２と第１係止貫通部１７１および第２係止貫通部１７２との間において折り曲げた状態である。そして、第１係止片１６１を第１係止貫通部１７１に挿通することにより第１係止片１６１を第１係止貫通部１７１に係止し、第２係止片１６２を第２係止貫通部１７２に挿通することにより第２係止片１６２を第２係止貫通部１７２に係止している。
【００４６】
次に、パウチ容器用包材Ａ１およびパウチ容器Ｂ１の作用について説明する。
【００４７】
本実施形態によれば、図５に示すように、パウチ容器Ｂ１の開封において切断予定線１５３に沿って注出口予定部１５を切断すると、注出口１５Ａが現出し、第１係止片１６１が形成される。この第１係止片１６１を第１係止貫通部１７１に係止させることにより、一対の外装フィルム１が折り曲げられた態様となる。この態様においては、収容空間１９内に残った内容物４と注出口１５Ａとを、一対の外装フィルム１の折り曲げ部分によって互いに区画することが可能である。これにより、内容物４が注出口１５Ａから誤って漏れ出てしまうことを抑制することができる。また、パウチ容器用包材Ａ１およびパウチ容器Ｂ１は、スパウトなどの開閉状態を実現するための部品を設ける必要がない。したがって、コスト上昇を抑制しつつ、開封後において残された内容物４を保持することができる。
【００４８】
第１係止片１６１および第１係止貫通部１７１を備えることにより、第１側辺１３側だけでなく第２側辺１４側においても、一対の底辺１１の一部同士が係止される。これにより、一対の外装フィルム１の折り曲げ状態をより確実に維持することが可能である。これは、内容物４の漏れ出しを防止するのに好ましい。
【００４９】
図５を参照して説明したように、第１係止片１６１の根元端と第２係止片１６２の根元端同士の距離Ｄ１は、第１係止貫通部１７１の両端を結ぶ線分と第２係止貫通部１７２の両端を結ぶ線分との距離Ｄ２よりも大である。このため、図６および図７に示す状態においては、一対の外装フィルム１のうち第１係止片１６１と第２係止片１６２とに挟まれた部分が、図中左右方向に圧縮力を受けた状態で、第１係止貫通部１７１と第２係止貫通部１７２とに保持される。このため、第１係止片１６１および第２係止片１６２が第１係止貫通部１７１および第２係止貫通部１７２から誤って抜け出てしまうことを防止することができる。
【００５０】
パウチ容器Ｂ１の陳列時などにおいて、仮に第１係止貫通部１７１に意図しない過大な力が負荷されると、第１係止貫通部１７１の両端を起点として第１側方シール部１３１に切断が生じるおそれがある。しかし、仮に切断が生じたとしても、第１係止貫通部１７１の両端が、第１側辺１３に向かっているため、この切断は、第１側辺１３に向かって進行する。したがって、万が一の切断が生じた場合であっても、この切断が収容空間１９に向かって進行することを未然に回避することができる。同様に第２係止貫通部１７２の両端が第２側辺１４に向かっていることにより、第２係止貫通部１７２の両端を起点とした切断が万が一生じた場合であっても、この切断が収容空間１９に向かって進行することを未然に回避することができる。また、図６に示すように、第１係止貫通部１７１および第２係止貫通部１７２が凸形状であることにより、第１係止片１６１および第２係止片１６２が、第１係止貫通部１７１および第２係止貫通部１７２に隣接する凸形状部分によって押さえられる格好となる。これにより、第１係止片１６１および第２係止片１６２が第１係止貫通部１７１および第２係止貫通部１７２から抜け出ることを防止する効果を奏する。
【００５１】
第１側方凹部１８１および天側凹部１８３が形成されていることにより、注出口予定部１５を外方に突出する形状としつつ、注出口予定部１５が天辺１２および第１側辺１３から大きく外側にはみ出してしまうことを防止することができる。また、第２側方凹部１８２が形成されていることにより、第２係止片１６２を外方に突出する形状としつつ、第２係止片１６２が第２側辺１４から大きく外側にはみ出してしまうことを防止することができる。さらに、図６および図７に示すように、第１側方凹部１８１および第２側方凹部１８２が設けられていることにより、この部分の剛性が他に比して低減されており、一対の外装フィルム１を折り曲げる起点となる。
【００５２】
パウチ容器Ｂ１は、上述したように、一対の外装フィルム１の底辺１１および底側フィルム２によって自立可能な態様である。このため、相対的に上方に位置する注出口１５Ａからは、内容物４が漏れ出しにくいという利点がある。
【００５３】
図８〜図１０は、本発明の変形例および他の実施形態を示している。なお、これらの図において、上記実施形態と同一または類似の要素には、上記実施形態と同一の符号を付している。
【００５４】
図８（ａ）〜（ｃ）は、パウチ容器用包材Ａ１およびパウチ容器Ｂ１の第１係止貫通部１７１についての変形例を示している。同図（ａ）に示す例においては、第１係止貫通部１７１が外装フィルム１の厚さ方向視においてコの字状の切断線によって構成されている。同図（ｂ）においては、第１係止貫通部１７１が外装フィルム１の厚さ方向視において山形状の切断線によって構成されている。同図（ａ），（ｂ）に示された例においても、第１係止貫通部１７１は、収容空間１９側に凸形状であり、両端が第１側辺１３に向かっている。このような例によっても、第１係止片１６１を第１係止貫通部１７１に係止可能であり、凸形状であることによる第１係止片１６１を押さえる効果が期待できる。
【００５５】
一方、同図（ｃ）に示す例においては、第１係止貫通部１７１は、図中上下方向に延びる直線状の切断線によって構成されている。このような例であっても、第１係止片１６１を第１係止貫通部１７１に係止することが可能である。なお、同図（ａ）〜（ｃ）に示す例は、第２係止貫通部１７２に適用可能であることはもちろんである。また、これらの例においても、上述した距離Ｄ１と距離Ｄ２との関係を満たすことにより、第１係止貫通部１７１および第２係止貫通部１７２の抜け出し防止効果を高めることができる。但し、本実施形態並びに同図（ａ）および（ｂ）の変形例に示すような凸形状の係止片のほうが、係止貫通部が設けられている付近の側方シール部を厚さ方向（紙面奥行き方向）側にやや曲げることのみで係止貫通部の開口を大きくすることができるので、係止作業性に優れており好ましい。
【００５６】
図９は、本発明の第２実施形態に基づくパウチ容器用包材およびパウチ容器を示している。本実施形態のパウチ容器用包材Ａ２およびパウチ容器Ｂ２においては、一対の外装フィルム１に第１側方凹部１８１、第２側方凹部１８２および天側凹部１８３が設けられていない。注出口予定部１５および第２係止片１６２を外方に突出した形状とするために、注出口予定部１５は、天辺１２および第１側辺１３から外方にはみ出しており、第２係止片１６２は、第２側辺１４から外方にはみ出している。このような実施形態によっても、コスト上昇を抑制しつつ、開封後において残された内容物４を保持することができる。
【００５７】
図１０は、本発明の第３実施形態に基づくパウチ容器用包材およびパウチ容器を示している。本実施形態のパウチ容器用包材Ａ３およびパウチ容器Ｂ３は、第１係止貫通部１７１および第２係止貫通部１７２が、第１側方シール部１３１および第２側方シール部１４１の一部ずつが切り取られたことによって設けられた孔によって構成されている。このような構成の第１係止貫通部１７１および第２係止貫通部１７２であっても、第１係止片１６１および第２係止片１６２を係止可能であればよい。
【００５８】
なお、切断線からなる第１係止貫通部１７１および第２係止貫通部１７２よりも本実施形態の第１係止貫通部１７１および第２係止貫通部１７２は開口面積が大であるため、たとえば第１係止片１６１および第２係止片１６２を押さえる効果はそれほど期待できない。一方、図示された第１係止片１６１および第２係止片１６２のように、先端部分を拡大した構成としてもよい。これにより、第１係止貫通部１７１および第２係止貫通部１７２に第１係止片１６１および第２係止片１６２を挿入すると、前記拡大部分が第１係止貫通部１７１および第２係止貫通部１７２に引っかかる。このような形態によっても、第１係止片１６１および第２係止片１６２の抜け出し防止効果を高めることができる。
【００５９】
本発明に係るパウチ容器用包材およびパウチ容器は、上述した実施形態に限定されるものではない。本発明に係るパウチ容器用包材およびパウチ容器の各部の具体的な構成は、種々に設計変更自在である。
【符号の説明】
【００６０】
Ａ１〜Ａ３      パウチ容器用包材
Ｂ１〜Ｂ３      パウチ容器
Ｄ１，Ｄ２      距離
１      外装フィルム
１１      底辺
１２      天辺
１２５      天側開口部
１３      第１側辺
１４      第２側辺
１１１      底側シール部
１２１      天側シール部
１３１      第１側方シール部
１４１      第２側方シール部
１５      注出口予定部
１５Ａ      注出口
１５１      湾曲シール部
１５２      切り欠き部
１５３      切断予定線
１５４      屈曲部
１６１      第１係止片
１７１      第１係止貫通部
１６２      第２係止片
１７２      第２係止貫通部
１８１      第１側方凹部
１８２      第２側方凹部
１８３      天側凹部
１９      収容空間
２      底側フィルム
２１      底辺
２２      折り返し部
２５      切り欠き部
４      内容物
【図１】
2016141452.tif 000003
【図２】
2016141452.tif 000004
【図３】
2016141452.tif 000005
【図４】
2016141452.tif 000006
【図５】
2016141452.tif 000007
【図６】
2016141452.tif 000008
【図７】
2016141452.tif 000009
【図８】
2016141452.tif 000010
【図９】
2016141452.tif 000011
【図１０】
2016141452.tif 000012
【図１１】
2016141452.tif 000013